(57)【特許請求の範囲】
【請求項１】
天板と脚体とを備えた少なくとも２つのテーブルを有してなる家具システムであって、
前記天板が、対をなす対向辺と、これら対向辺の一端間に形成される第１の端辺と、前記対向辺の他端間に形成される第２の端辺とを備えたものであり、前記脚体が、前記両対向辺の一端側にそれぞれ設けられ平面視において対向辺の外側に位置する対をなす外脚と、前記両対向辺の他端側に設けられ平面視において対向辺の内側に位置する内脚とを備えたものであり、
持ち上げられた一方のテーブルの外脚間に他方のテーブルの天板を第２の端辺側から通過させて他方のテーブル上に一方のテーブルをスタッキングすることができるようにしたものであり、
一方のテーブルの外脚の一つを他方のテーブルの天板の下に潜り込ませるとともに、他方のテーブルの外脚の一つを一方のテーブルの天板の下に潜り込ませることにより前記両テーブルを隣接させ得るようにしたものであり、
天板の下に潜り込む外脚と前記天板とを連結するための連結機構を設けたものであって、前記連結機構が、前記外脚の上端面に設けられた凹部と、前記天板の下面に設けられ前記凹部に係わり合う突部とを具備してなるものであり、
前記外脚が、外脚本体と、この外脚本体の上端に着脱可能に蓋着され、前記凹部が形成されたキャップとを備えたものであり、前記キャップを取り外した状態で前記外脚本体にオプション部材を挿着できるようにしていることを特徴とする家具システム。
【請求項２】
請求項１記載の家具システムに用いられるテーブルであって、前記天板が、その対向辺同士が平行をなすものであることを特徴とするテーブル。
【請求項３】
前記天板が、上面外縁に前記両対向辺及び第１及び第２の端辺に沿う張り出し部を備えたものであり、対をなす対向辺に沿った張り出し部が、天板上に載置される筆記シートをスライド移動可能に案内するものである請求項２記載のテーブル。
【発明の詳細な説明】
【技術分野】
【０００１】
本発明は、天板と脚体とを備えたテーブル、及びこのようなテーブルを少なくとも２つ有してなる家具システムに関するものである。
【背景技術】
【０００２】
従来、研究所等の作業空間あるいはオフィス等の執務空間などと、ミーティング等を行うための会議用空間とは、別々に用意されていた。
【０００３】
ところが近時、作業や執務の途中あるいは作業等の直後にその場でミーティングを行って、そのミーティング内容を充実させたいという要望がある。そのため、作業空間や執務空間などにスタッキング可能なテーブルを配置しておき、必要な場合にそのテーブルを展開し、ミーティング等を適宜行えるようにしたものも開発されている（例えば、特許文献１を参照）。
【０００４】
ところが従来のものは、テーブルの高さ分以上に持ち上げないとスタッキングすることができないため、比較的軽量で小さなテーブルに限られていたという問題があった。
【先行技術文献】
【特許文献】
【０００５】
【特許文献１】特開２００５−１７６８８４号公報
【発明の概要】
【発明が解決しようとする課題】
【０００６】
本発明は、比較的大きめのテーブルでもスタッキング可能であり、スタッキングする際の作業を容易に行うことができるテーブル、及びこのようなテーブルを有してなる家具システムを提供することを目的としている。
【課題を解決するための手段】
【０００７】
本発明は、以上のような課題を解決するために、次のような構成を採用したものである。すなわち、本発明に係る家具システムは、天板と脚体とを備えた少なくとも２つのテーブルを有してなるものであって、前記天板が、対をなす対向辺と、これら対向辺の一端間に形成される第１の端辺と、前記対向辺の他端間に形成される第２の端辺とを備えたものであり、前記脚体が、前記両対向辺の一端側にそれぞれ設けられ平面視において対向辺の外側に位置する対をなす外脚と、前記両対向辺の他端側に設けられ平面視において対向辺の内側に位置する内脚とを備えたものであり、持ち上げられた一方のテーブルの外脚間に他方のテーブルの天板を第２の端辺側から通過させて他方のテーブル上に一方のテーブルをスタッキングすることができるようにしたことを特徴とする。
【０００８】
このようなものであれば、従来のようなテーブルの高さ分以上に持ち上げないとスタッキングすることができないものと比べて比較的大きめのテーブルでもスタッキング可能であり、テーブルのスタッキング動作及びスタッキングされたテーブルを下ろす動作を容易に行うことができる。そのため、作業用、執務用、会議用等の幅広い使用用途に亘って好適に使用できる家具システムとすることができる。
【０００９】
２つ以上のテーブルを横に並べて使用可能とするために、一方のテーブルの外脚の一つを他方のテーブルの天板の下に潜り込ませるとともに、他方のテーブルの外脚の一つを一方のテーブルの天板の下に潜り込ませることにより前記両テーブルを隣接させ得るようにしている。
【００１０】
天板の下に潜り込む外脚と前記天板とを連結するための連結機構を設けたものであって、前記連結機構が、前記外脚の上端面に設けられた凹部と、前記天板の下面に設けられ前記凹部に係わり合う突部とを具備してなるものであるため、２つ以上のテーブルを隣接させた状態を保持しておくことができる。
【００１１】
前記外脚が、外脚本体と、この外脚本体の上端に着脱可能に蓋着され、前記凹部が形成されたキャップとを備えたものであり、前記キャップを取り外した状態で前記外脚本体にオプション部材を挿着できるようにしている。
【００１２】
請求項１記載の家具システムに用いられるテーブルの一例としては、前記天板が、その対向辺同士が平行をなすものが好ましい。
【００１３】
前記天板が、上面外縁に前記両対向辺及び第１及び第２の端辺に沿う張り出し部を備えたものであり、対をなす対向辺に沿った張り出し部が、天板上に載置される筆記シートをスライド移動可能に案内するものが好適な一態様として挙げられる。
【発明の効果】
【００１４】
本発明は、以上のような構成であるから、比較的大きめのテーブルでもスタッキング可能であり、スタッキングする際の作業を容易に行うことができるテーブル、及びこのようなテーブルを有してなる家具システムを提供することができる。
【図面の簡単な説明】
【００１５】
【図１】本発明の一実施形態の家具システムを示す斜視図。
【図２】同実施形態のミーティング用のテーブルを示す斜視図。
【図３】同実施形態のミーティング用のテーブルを示す正面図。
【図４】同実施形態のミーティング用のテーブルを示す右側面図。
【図５】同実施形態のミーティング用のテーブルを示す平面図。
【図６】同実施形態のミーティング用のテーブルを示す底面図。
【図７】図５におけるＡ−Ａ線断面図。
【図８】図５におけるＢ−Ｂ線断面図。
【図９】同実施形態のミーティング用のテーブルを連結する場合の作用説明図。
【図１０】同実施形態のミーティング用のテーブルを連結する場合の作用説明図。
【図１１】図１０におけるＣ−Ｃ線断面で示す作用説明図。
【図１２】図１０におけるＣ−Ｃ線断面で示す作用説明図。
【図１３】同実施形態のミーティング用のテーブルをスタッキングする場合の作用説明図。
【図１４】同実施形態のミーティング用のテーブルをスタッキングする場合の作用説明図。
【図１５】同実施形態の機器載置用のテーブルを示す正面図。
【図１６】同実施形態の機器載置用のテーブルを示す右側面図。
【図１７】同実施形態の機器載置用のテーブルのオプション取り付け方法を示す作用説明図。
【図１８】本発明の他の実施形態のミーティング用のテーブルを示す平面図。
【発明を実施するための形態】
【００１６】
以下、本発明の一実施形態について図１〜図１７を参照して説明する。
【００１７】
この家具システムＳは、図１、図９、図１０、図１３及び図１４に示すように、ミーティング用のテーブルＴ１と、機器載置用のテーブルＴ３等からなるもので、図１に示すように、複数台のミーティング用のテーブルＴ１を連結するとともに端のミーティング用のテーブルＴ１に前記機器載置用のテーブルＴ３を隣接させてミーティングを行ったり、それらのテーブルＴ１、Ｔ３を離間させて個別に使用したり、ミーティング用のテーブルＴ１をスタッキングさせて収容させたりする態様をとることができる。
【００１８】
ミーティング用のテーブルＴ１は、図１〜図１４に示すように、天板１と、この天板１を支持する脚体２とを備えたものである。本実施形態では、このテーブルＴ１の高さ寸法を７２０ｍｍに設定している。
【００１９】
天板１は、図１〜図１４に示すように、木製の天板本体１１と、この天板本体１１の上面に設けた合成樹脂製の化粧板１２と、これら化粧板１２及び天板本体１１の小口端面を覆う合成樹脂製のエッジ部材１３とからなる。この天板１は、対をなす対向辺１４と、これら対向辺１４の一端１４ａ間に形成される第１の端辺１５と、前記対向辺１４の他端１４ｂ間に形成される第２の端辺１６とを備えたものである。この天板１は、その対向辺１４同士及び第１の端辺１５と第２の端辺１６とがそれぞれ平行をなすもので、具体的には、一辺が９００ｍｍ四方の平面視略正方形をなしている。この天板１は、上面１７外縁に前記両対向辺１４及び第１及び第２の端辺１６に沿う張り出し部１８を備えている。この張り出し部１８は、前記エッジ部材１３の上縁部１３ａを化粧板１２の上面１２ａよりも上方に延出させることにより形成されたもので、天板１の外縁に沿って連続的に形成されている。この張り出し部１８は、主に、天板１上に載置されたものが落下するのを防止する役割を担っている。この実施形態においては、天板１の上面１７に載置される筆記シート１０を前記張り出し部１８の内側に嵌め込んで位置決めして使用することもできるようになっている。
【００２０】
脚体２は、図１〜図１４に示すように、前記両対向辺１４の一端１４ａ側にそれぞれ設けられ平面視において対向辺１４の外側に位置する対をなす外脚２１と、前記両対向辺１４の他端１４ｂ側にそれぞれ設けられ平面視において対向辺１４の内側に位置する対をなす内脚２３とを備えたものである。詳述すれば、脚体２は、前記対をなす外脚２１と、これら両外脚２１を連結する外脚用横フレーム２２と、前記対をなす内脚２３と、これら両内脚２３を連結する内脚用横フレーム２４と、この内脚用横フレーム２４及び外脚用横フレーム２２を連結する縦フレーム２５とを備えてなるもので、前記縦フレーム２５の取付部２５１及び前記外脚用横フレーム２２の取付部２２１に挿通されるビス等の止着具２０により天板１の下面１９に止着されている。なお、図７においては、止着具２０を省略している。これらの外脚用横フレーム２２、内脚用横フレーム２４及び縦フレーム２５はそれぞれ金属製のものであり、溶接等により互いに剛結されている。この実施形態においては、前記外脚２１は、円筒柱状をなす外脚本体２１１と、この外脚本体２１１の上端に着脱可能に蓋着されたキャップ２１２と、前記外脚本体２１１の下端に設けられたキャスタ２１３とを備えたものである。外脚本体２１１は、パイプ状をなす金属製のものであり、キャップ２１２は、合成樹脂製のものである。本実施形態においては、外脚２１の上端面２１５の高さ位置を、天板１の下面１９の高さ位置と略同じに設定している。内脚２３は、円筒柱状をなす内脚本体２３１と、この内脚本体２３１の下端に設けられたキャスタ２３２とを備えたものである。
【００２１】
この実施形態においては、図１、図９及び図１０に示すように、ミーティング用のテーブルＴ１のうち一方のテーブルＴ１１の外脚２１の一つを他方のテーブルＴ１２の天板１の下に潜り込ませるとともに、他方のテーブルＴ１２の外脚２１の一つを一方のテーブルＴ１１の天板１の下に潜り込ませることにより前記両テーブルＴ１１、Ｔ１２を隣接させ得るようにしている。詳述すれば、天板１の下に潜り込む外脚２１と前記天板１とを連結するための連結機構３を設けたものであって、前記連結機構３が、前記外脚２１の上端面２１５及び天板１の下面１９のいずれか一方に設けられた凹部３１と、他方に設けられ前記凹部３１に係わり合う突部３３とを具備してなるものである。特定のテーブルＴ１に着目して説明すれば、対をなす外脚２１のキャップ２１２にそれぞれ凹部３１が形成されている。そして、天板１の両対向辺１４の他端１４ｂ側の内側に同一構造をなすテーブルの外脚２１が潜り込むことができる空間３２をそれぞれ形成しており、それらの空間３２に対応する天板１の下面１９に、前記凹部３１に係合可能な形状をなす突部３３がビス等の止着具３０を用いてそれぞれ取り付けられている。
【００２２】
機器載置用のテーブルＴ３は、図１及び図１５〜図１７に示すように、上述したミーティング用のテーブルＴ１に準じた構成をなすもので、ミーティング用のテーブルＴ１と同一または対応する部分には同一の符号を付して説明を省略する。この機器載置用のテーブルＴ３の天板１の第１の端辺１５及び第２の端辺１６の長さ寸法は、ミーティング用のテーブルＴ１の天板１の第１の端辺１５及び第２の端辺１６の長さ寸法と等しく設定されており、機器載置用のテーブルＴ３の天板１の対向辺１４の長さ寸法は、ミーティング用のテーブルＴ１の天板１の対向辺１４の長さ寸法よりも短く設定されている。この機器載置用のテーブルＴ３は、ミーティング用のテーブルＴ１と連結できないようにするため、天板１下面１９に突部３３は設けられていない。機器載置用のテーブルＴ３は、キャップ２１２を取り外した状態で前記外脚本体２１１にオプション部材４が挿着されている。
【００２３】
オプション部材４は、図１及び図１５〜図１７に示すように、ディスプレイ４０を保持するためのもので、対をなす支柱４１と、それら支柱４１間の上端部を剛結するディスプレイ取付用のレールフレーム４２とを具備してなるもので、このレールフレーム４２の任意の箇所に取付具４０ａを介してディスプレイ４０を装着できるようになっている。支柱４１は、外脚２１と同一の外形を有した支柱本体４１１と、この支柱本体４１１の下端から下方に突出し支柱本体４１１内に嵌合する取付部４１２とを備えたもので、その取付部４１２をキャップ２１２を外した外脚本体２１１に嵌合させることにより、支柱４１の外面４１３と外脚２１の外面２１４とが連続したものになる。
【００２４】
機器載置用のテーブルＴ３は、図１、図１５及び図１６に示すように、天板１下面１９に機器載置用の機器収納箱５を備えるとともに、外脚２１及び内脚２３の下端部間に棚板６が着脱可能に設けられている。
【００２５】
次いで、この家具システムＳ及びテーブルＴ１、Ｔ３の作動を説明する。
【００２６】
複数台のミーティング用のテーブルＴ１を連結する場合は、図９に示すように、まず、離間されたテーブルＴ１同士をそれぞれキャスタ２１３、２３２を利用して互いに近づく方向へ移動させるか、または、一方のテーブルＴ１１をキャスタ２１３、２３２を利用して他方のテーブルＴ１２に隣接するように移動させる。そして、図１０に示すように、一方のテーブルＴ１１の天板１の第１の端辺１５と他方のテーブルＴ１２の天板１の第２の端辺１６とが一直線状に並ぶとともに、一方のテーブルＴ１１の天板１の第２の端辺１６と他方のテーブルＴ１２の天板１の第１の端辺１５とが一直線状に並ぶように、一方のテーブルＴ１１の対向辺１４の一つと他方のテーブルＴ１２の天板１の対向辺１４の一つを隣接させる。すなわち、一方のテーブルＴ１１の外脚２１の一つを他方のテーブルＴ１２の天板１の下に潜り込ませるとともに、他方のテーブルＴ１２の外脚２１の一つを一方のテーブルＴ１１の天板１の下に潜り込ませることにより前記両テーブルＴ１１、Ｔ１２を隣接させる。その際、一方のテーブルＴ１１の前記外脚２１の上端面２１５に設けられた凹部３１と、天板１の下面１９に設けられた突部３３とを係わり合わせるとともに、他方のテーブルＴ１２の前記外脚２１の上端面２１５に設けられた凹部３１と、天板１の下面１９に設けられた突部３３とを係わり合わせる。なお、このように複数台のミーティング用のテーブルＴ１を連結させた状態においては、天板１を広く使うことができ、８つあるキャスタ２１３、２３２のうち全てのキャスタ２１３、２３２をロックする必要なしに連結されたテーブルＴ１を一時的に移動不能にすることができる。
【００２７】
また、連結された複数台のミーティング用のテーブルＴ１を離間させて個別に使用したい場合には、連結されたテーブルＴ１同士をそれぞれキャスタ２１３、２３２を利用して互いに離れる方向へ移動させるか、または、一方のテーブルＴ１１をキャスタ２１３、２３２を利用して他方のテーブルＴ１２から離間するように移動させることで、前記連結機構３の突部３３と凹部３１との係合状態を解除すればよい。
【００２８】
複数台のミーティング用のテーブルＴ１をスタッキングさせる場合は、まず、図１３に示すように、一方のテーブルＴ１１の外脚２１を持ち上げ、内脚２３のキャスタ２３２を利用して他方のテーブルＴ１２の天板１の第２の端辺１６側に近づくように移動させる。そして、一方のテーブルＴ１１の内脚２３のキャスタ２３２を利用した状態で、天板１の厚み寸法及び天板１の下面に配された横フレーム２２、２４や縦フレーム２５の突出寸法だけ持ち上げられた一方のテーブルＴ１１の外脚２１間に、他方のテーブルＴ１２の天板１を第２の端辺１６側から通過させて、一方のテーブルＴ１１の外脚２１が他方のテーブルＴ１２の外脚２１に近づくように移動させる。このようにして、他方のテーブルＴ１２の天板１上に一方の天板１が重なるように配置されるとともに、他方のテーブルＴ１２の外脚２１に一方のテーブルＴ１１の外脚２１が隣接して配置された状態でテーブルＴ１１から手を離せば、図１４に示すように、他方のテーブルＴ１２上に一方のテーブルＴ１１をスタッキングした状態を保つことができる。このように、上下方向のスタッキング動作を左右方向からネスティング動作のように行うことができるため、比較的テーブルＴ１が重い場合であっても、簡単にスタッキングさせることができる。
【００２９】
また、スタッキングされた複数台のミーティング用のテーブルＴ１をそのスタッキング状態を解除して使用したい場合には、一番上にスタッキングされたテーブルＴ１を、このテーブルの外脚２１間に配された下のテーブルＴ１の天板１の第２の端辺１６側から抜き取るように移動させることで、前記スタッキング状態を解除すればよい。
【００３０】
以上に述べたように、本実施形態にかかる家具システムＳは、天板１と脚体２とを備えた２つのミーティング用のテーブルＴ１と、機器載置用のテーブルＴ３とを有してなるものであって、前記天板１が、対をなす対向辺１４と、これら対向辺１４の一端１４ａ間に形成される第１の端辺１５と、前記対向辺１４の他端１４ｂ間に形成される第２の端辺１６とを備えたものであり、前記脚体２が、前記両対向辺１４の一端１４ａ側にそれぞれ設けられ平面視において対向辺１４の外側に位置する対をなす外脚２１と、前記両対向辺１４の他端１４ｂ側に設けられ平面視において対向辺１４の内側に位置する内脚２３とを備えたものであり、持ち上げられた一方のミーティング用のテーブルＴ１の外脚２１間に他方のミーティング用のテーブルＴ１の天板１を第２の端辺１６側から通過させて、他方のミーティング用のテーブルＴ１上に一方のミーティング用のテーブルＴ１をスタッキングすることができるようにした。そのため、従来のようなテーブルの脚の長さ分以上に持ち上げないとスタッキングすることができないものと比べて大きいテーブルＴ１であってもスタッキング可能であり、スタッキング動作及びスタッキングされたテーブルＴ１を下ろす動作を容易に行うことができる。したがって、作業用、執務用、会議用等の幅広い使用用途に亘って好適に使用できるとともに、不使用時には好適に収納することができる家具システムＳを構築することができる。
【００３１】
一方のテーブルＴ１１の外脚２１の一つを他方のテーブルＴ１２の天板１の下に潜り込ませるとともに、他方のテーブルＴ１２の外脚２１の一つを一方のテーブルＴ１１の天板１の下に潜り込ませることにより前記両テーブルＴ１１、Ｔ１２を隣接させ得るようにしたので、外脚２１が平面視において対向辺１４の外側に位置するものであるにもかかわらず、テーブルＴ１１、Ｔ１２の対向辺１４同士を可及的に近づけることができる。したがって、テーブルＴ１１、Ｔ１２を広く使用することができる。
【００３２】
また、天板１の下に潜り込む外脚２１と前記天板１とを連結するための連結機構３を設けたものであって、前記連結機構３が、前記外脚２１の上端面２１５に設けられた凹部３１と、天板１の下面１９に設けられ前記凹部３１に係わり合う突部３３とを具備してなるものであるため、凹凸係合を利用してテーブルＴ１１、Ｔ１２同士を隣接させた状態を保持することができる。特に、本実施形態では、凹部３１及び突部３３を合成樹脂製のものとしているため、係合動作や解除動作時にある程度の弾性変形を許容することができるとともに、衝突音の発生も抑制することができる。また、本実施形態では天板１の下面１９が木製のものであるため、これに複雑な凹部の形状を設けることは難しいが、上述したように天板１の下面１９に突部３３を取り付けるようにしているので、突部３３の形状を凹部３１に合わせた複雑な形状にすることも可能であるとともに、天板１の強度も保つことができる。
【００３３】
さらに、本実施形態のミーティング用のテーブルＴ１及び機器載置用のテーブルＴ３は、外脚２１が、外脚本体２１１と、この外脚本体２１１の上端に着脱可能に蓋着されたキャップ２１２とを備えたものであり、前記キャップ２１２を取り外した状態で前記外脚本体２１１にオプション部材４を挿着できるようにしているので、外脚２１をオプション部材４の取り付けのために用いることができる。
【００３４】
なお、本発明は以上に述べた実施形態に限られない。
【００３５】
本発明の家具システムに用いられるテーブルとしては、図１８に示すようなものであってもよい。すなわち、このテーブルＴ２は、前記天板１が、その対向辺１４同士が平行をなすものであり、より具体的には、対向辺１４同士が平行であり、第１の端辺１５と第２の端辺１６とが互いに平行であるとともに前記対向辺１４よりも長尺な平面視略長方形をなしている。そして、前記天板１は、上面１７外縁に前記両対向辺１４及び第１及び第２の端辺１６に沿う張り出し部１８を備えたものであり、対をなす対向辺１４に沿った張り出し部１８が、天板１上に載置される筆記シート１０をスライド移動可能に案内するものである。この筆記シート１０は、一辺の長さが前記対向辺１４の張り出し部１８間の内法寸法と同一である平面視略正方形状をなしている。このようなものであれば、会議中等に天板１上の筆記シート１０の位置を任意に変更させることができる。
【００３６】
また、天板の形状及び脚の配置箇所は、持ち上げられた一方のテーブルの外脚間に他方のテーブルの天板を第２の端辺側から通過させて他方のテーブル上に一方のテーブルをスタッキングすることができるようなものであればどのようなものであってもよい。例えば、天板の形状は、正方形、長方形に限られず、台形やその他の異形状であってもよい。また、天板の対向辺、第１の端辺、及び第２の端辺は、直線的なものに限られず、曲線的なものであってもよい。さらに、内脚は、円筒柱状のものに限られず、板状のものであってもよい。また、内脚は１つであってもよい。
【００３７】
上述した実施形態では、機器載置用のテーブルに棚板を着脱可能に設けていたが、ミーティング用のテーブルにもこれに準ずる棚板を着脱可能に設けてもよい。また、前記ミーティング用のテーブルにおいても、前記外脚が、外脚本体と、この外脚本体の上端に着脱可能に蓋着されたキャップとを備えたものであり、前記キャップを取り外した状態で前記外脚本体にオプション部材を挿着できるようにしているので、前記外脚をテーブルの連結用に用いない場合には、この外脚にオプション部材を取り付けてもよいのはもちろんである。なお、オプション部材は、上述したディスプレイ取付用の支柱に限られず、種々変更可能である。
【００３８】
本発明の脚は、キャスタを備えないものであってもよいが、本実施形態のようにキャスタを備えたものであれば、持ち上げられた一方のテーブルの外脚間に他方のテーブルの天板を第２の端辺側から通過させて他方のテーブル上に一方のテーブルをスタッキングする際に、他方のテーブルを移動させやすい。特に、本実施形態のような比較的大きなテーブルにおいては、スタッキング動作以外の場合でもこのキャスタを用いて比較的容易にテーブルを動かすことができる。
【００３９】
また連結機構は、上述した実施形態のものに限られず種々変更可能である。例えば、連結機構が、天板の下面に設けられた凹部と、外脚の上端面に設けられ前記凹部に係わり合う突部とを具備してなるものであってもよい。また、凹部や突部の大きさや形状も種々変更可能である。
【００４０】
さらに、天板の大きさは上述した実施形態のものに限られず種々変更可能であり、スタッキングや連結するテーブルの台数も３台以上であってよいのはもちろんである。
【００４１】
その他、本発明の趣旨を損ねない範囲で種々に変更してよい。
【符号の説明】
【００４２】
Ｓ…家具システム
Ｔ１…ミーティング用のテーブル
Ｔ１１…一方のテーブル
Ｔ１２…他方のテーブル
Ｔ３…機器載置用のテーブル
１…天板
１４…対向辺
１４ａ…一端
１４ｂ…他端
１５…第１の端辺
１６…第２の端辺
１８…張り出し部
１９…下面
２…脚体
２１…外脚
２１１…外脚本体
２１２…キャップ
２１５…上端面
２３…内脚
３…連結機構
３１…凹部
３３…突部
４…オプション部材
１０…筆記シート
【図１】
0005935298.tif 000002
【図２】
0005935298.tif 000003
【図３】
0005935298.tif 000004
【図４】
0005935298.tif 000005
【図５】
0005935298.tif 000006
【図６】
0005935298.tif 000007
【図７】
0005935298.tif 000008
【図８】
0005935298.tif 000009
【図９】
0005935298.tif 000010
【図１０】
0005935298.tif 000011
【図１１】
0005935298.tif 000012
【図１２】
0005935298.tif 000013
【図１３】
0005935298.tif 000014
【図１４】
0005935298.tif 000015
【図１５】
0005935298.tif 000016
【図１６】
0005935298.tif 000017
【図１７】
0005935298.tif 000018
【図１８】
0005935298.tif 000019